(57)【要約】【課題】本発明は、多種の機器への配線や配置に裕度を持たせて様々な市場ニーズに対応できるマルチメディアボックスを提供することを目的としている。【解決手段】本発明に係るマルチメディアボックスは、マルチメディアボックス１の背面から通線するため、略中央部に配線孔５を開口し、配線孔５周縁には複数の取り付け穴６を設け、前面には突出物がないフラット構造とすることを特徴とし、多種にわたる機器を任意に、容易に取り付け可能とする。【選択図】        図２
2004311500.tif 000002
【特許請求の範囲】
【請求項１】
本体をカバーで被覆し、前面をドアで施蓋して成る情報通信機器を収納するためのマルチメディアボックスであって、該マルチメディアボックスの背面から通線するため、前記本体には略中央部に配線孔を開口し、該配線孔周縁には複数の取り付け穴を設け、前記本体の前面には突出物がないフラット構造とすることを特徴とするマルチメディアボックス。
【請求項２】
前記マルチメディアボックスであって、前記取り付け穴に上段用連結金具と下段用連結金具とを取り付け、それぞれをねじ止めにより連結することで前記本体を積み重ねて使用可能とすることを特徴とするマルチメディアボックス。
【発明の詳細な説明】
【０００１】
【発明の属する技術分野】
本発明は、本体をカバーで被覆し、前面をドアで施蓋して成る情報通信機器を収納するためのマルチメディアボックスに関する。
【０００２】
【従来の技術】
図１０に示すように、従来のマルチメディアボックス３１は情報通信機器等を載置する本体３２と本体３２を被覆するカバー３３と表面を施蓋するドア３４とで構成していた。本体３２にはパネル３５を敷き、その上に機器を配置していた（例えば特許文献１参照。）。
【０００３】
【特許文献１】
特開２００２−２３３００９号公報
【０００４】
【発明が解決しようとする課題】
しかしながら、上記従来技術におけるマルチメディアボックスでは、近年の情報通信サービスの向上、変化により、機器の大きさや配線方式が大きく変わり、例えば機器の取り付けスペースも限定されているので、新しいサービスの内容に適応しにくいものであった。また、多様なサービス全てに対応するのは困難であった。
【０００５】
【課題を解決するための手段】
そこで本発明は、多種の機器への配線や配置に裕度を持たせて様々な市場ニーズに対応できるマルチメディアボックスを提供することを目的とし、その構造は、マルチメディアボックスの背面から通線するため、略中央部に配線孔を開口し、配線孔周縁には複数の取り付け穴を設け、前面には突出物がないフラット構造とすることを特徴とする。
【０００６】
また、取り付け穴に上段用連結金具と下段用連結金具とを取り付け、それぞれをねじ止めにより連結することでマルチメディアボックスを積み重ねて使用可能とすることを特徴とする。
【０００７】
【発明の実施の形態】
本発明に係るマルチメディアボックスは、本体は略中央部を貫通させた配線孔を開口し、配線孔の周縁には取り付け穴を設ける。本体の前面は突出物を作らずフラット構造とする。取り付け穴に直接機器を取り付けたり、または木板や鉄板を固定しその上に機器を取り付け、配線孔により、本体背面から通線し、内部に配置された機器に接続する。
【０００８】
また、本体はフラット構造であるので積み重ねて使用することもでき、その場合は、上段の本体には上段用連結金具を取り付け、下段の本体には上段用連結金具と接続される下段用連結金具とをそれぞれ取り付ける。
【０００９】
【実施例】
本発明に係るマルチメディアボックスの実施例を図１〜図２の添付図面に基づいて説明する。
【００１０】
マルチメディアボックス１は、情報通信機器等を取り付ける本体２と本体２を被覆するカバー３、前面を施蓋するドア４とから構成される。
【００１１】
本体の略中央部は貫通した配線孔５を開口してる。配線孔５の周縁には取り付け穴６を複数設け、機器や機器を取り付けるための木板７や鉄板を取り付ける。また、本体２前面は突出物のないフラット構造を特徴としている。任意の取り付け穴６に直接機器をもしくは、木板７や鉄板を取り付けその上に機器を固定する。本体２にカバー３、ドア４をかぶせて施蓋する。
【００１２】
マルチメディアボックス１はクローゼット等、人目に付かない場所で用いたりして外観を重視しない場合、カバー３、ドア４を外し、本体２のみで取り付けることも可能である。
【００１３】
本発明の請求項２に係るマルチメディアボックス１は、図３〜図６に示すように、本体２を積み重ねて使用できるものである。上段に積み上げる本体２ａの取り付け穴６ａには本体固定部８ａと下段固定部８ｂとを有する上段連結金具８を取り付ける。下段にくる本体２ｂの取り付け穴６ｂには上段連結金具８に連結される固定穴９ａを形成した下段連結金具９を取り付ける。上段連結金具８と下段連結金具９とをねじ止め等により固定すると、本体２ａ、２ｂが連結される。
【００１４】
本体２ａ、２ｂは積み重ねて使用可能とするために、木板７や鉄板を取り付けた下段の本体２ｂに上段の本体２ａを積み重ねたとき、上段の配線孔５が下段の機器に干渉しないように、配線孔５周縁内側に折曲されている部分の寸法Ｌ２は本体２ａ、２ｂの外側側面の寸法Ｌ１より小さくしている。
【００１５】
本発明に係るマルチメディアボックスは、上記形状に限定されるものではなく、例えば図７に示すように、本体１０に設けられる配線孔１１は、一連のものでなく、補強リブ１２等により任意に仕切ってもよい。
【００１６】
また、本体とカバーとの嵌合手段は特に限定せず、例えば図８に示すように、本体１３の表面に突出しないように、脱着爪１４を埋め込み取り付け、脱着爪１４にカバーを嵌合させて容易に脱着可能としてもよい。
【００１７】
図９に示すように、本体１５を積み重ねて用いる場合、連結金具ではなく、配線孔周縁に設けられた取り付け穴１６を利用して、連結用ねじ１７により連結することもできる。
【００１８】
【発明の効果】
以上述べたように本発明は、マルチメディアボックスの背面から通線するため、略中央部に配線孔を開口し、配線孔周縁には複数の取り付け穴を設け、前面には突出物がないフラット構造とするため、多種の情報通信機器等を任意の取り付けることができる。また、カバーやドアは任意に取り外し可能で、本体のみに機器の取り付けができ、安価に製造することができる。本体前面には側壁など突出物がないため、配線ケーブルの余長も引き出しやすく、配線作業が楽に行える。
【００１９】
また、取り付け穴に上段用連結金具と下段用連結金具とを取り付け、それぞれをねじ止めにより連結することでマルチメディアボックスを積み重ねて使用可能であるため、既設のマルチメディアボックスの改修の場合には新しく全てのボックスを替えなくても、本体のみの変更で対応できるため、安価であると共に、設置面積の変更もない。また、新規にマルチメディアボックスを設置する場合にも、多品種の部品を用意していたものが、ボックスの金型等の設備費用は抑え、安価で製造が可能である。
【図面の簡単な説明】
【図１】本発明に係るマルチメディアボックスを示す斜視図である。
【図２】本発明に係るマルチメディアボックスを示す分解斜視図である。
【図３】本発明の請求項２に係るマルチメディアボックスを示す斜視図である。
【図４】本発明の請求項２に係るマルチメディアボックスを示す分解斜視図である。
【図５】本発明の請求項２に係るマルチメディアボックスの本体を二段に積み重ねた状態を示す斜視図である。
【図６】図５におけるＡ−Ａ断面図である。
【図７】本発明に係るマルチメディアボックスの変形実施例を示す分解斜視図である。
【図８】本発明に係るマルチメディアボックスの第二変形実施例を示す分解斜視図である。
【図９】本発明に係るマルチメディアボックスの第三変形実施例を示す分解斜視図である。
【図１０】従来技術におけるマルチメディアボックスを示す正面図である。
【符号の説明】
１      マルチメディアボックス
２      本体
２ａ    上段の本体
２ｂ    下段の本体
３      カバー
４      ドア
５      配線孔
６      取り付け穴
６ａ    上段の本体の取り付け穴
６ｂ    下段の本体の取り付け穴
７      木板
８      上段連結金具
８ａ    本体固定部
８ｂ    下段固定部
９      下段連結金具
９ａ    固定穴
１０    本体
１１    配線孔
１２    補強リブ
１３    本体
１４    脱着爪
１５    本体
１６    取り付け穴
１７    連結用ねじ
【図１】
2004311500.tif 000003
【図２】
2004311500.tif 000004
【図３】
2004311500.tif 000005
【図４】
2004311500.tif 000006
【図５】
2004311500.tif 000007
【図６】
2004311500.tif 000008
【図７】
2004311500.tif 000009
【図８】
2004311500.tif 000010
【図９】
2004311500.tif 000011
【図１０】
2004311500.tif 000012